(57)【要約】【課題】  各構成部品に高い部品精度，組立精度を必要とせず、製造が容易なスイッチを提供する。【解決手段】  片持ち支持された可動接触片１４の自由端部に位置する可動接点１４ａを固定接点１１ａ，１２ａに接離可能に対向させた接点機構１０と、前記接点機構１０をインサート成形し、上下方向から可動接触片１４および固定接点１１ａ，１２ａを目視可能なベース２０と、上面に操作溝６１を有し、前記ベース２０に上方から嵌合される箱形のカバー６０と、長軸部５２の軸心を中心として上方側に操作部５４を突出するとともに、下方側にカム部５１を形成し、前記長軸部５２を前記カバー６０の対向する両側側壁に回動可能に軸支するとともに、前記カバー６０の操作溝６１から前記操作部５４を操作可能に突出させた操作レバー５０と、前記操作レバー５０の長軸部５２にコイル部４１を挿通され、前記操作レバー５０に復帰力を付与する復帰バネ４０と、からなる。【選択図】図２
2006092853.tif 000002
【特許請求の範囲】
【請求項１】
片持ち支持された可動接触片の自由端部に位置する可動接点を固定接点に接離可能に対向させた接点機構と、
前記接点機構をインサート成形し、上下方向から可動接触片および固定接点を目視可能なベースと、
上面に操作溝を有し、前記ベースに上方から嵌合される箱形のカバーと、
回動軸部の軸心を中心として上方側に操作部を突出するとともに、下方側にカム部を形成し、前記回動軸部を前記カバーの対向する両側側壁に回動可能に軸支するとともに、前記カバーの操作溝から前記操作部を操作可能に突出させた操作レバーと、
前記操作レバーの回動軸部にコイル部を挿通され、前記操作レバーに復帰力を付与する復帰バネと、からなり、
前記操作レバーの操作部に水平方向から負荷された外力に基づき、前記復帰バネのバネ力に抗して前記操作レバーを回動することにより、前記カム部が前記可動接触片を駆動し、可動接点を固定接点に接離させることを特徴とするスイッチ。
【請求項２】
復帰バネの両端部をカバーの天井面に圧接させることにより、操作レバーが直立するように支持したことを特徴とする請求項１に記載のスイッチ。
【請求項３】
前記ベースの上下面のうち、少なくとも下面にシートを貼着一体化して接点機構を仕切ることを特徴とする請求項１または２に記載のスイッチ。
【請求項４】
ベースの上面のうち、湾曲した可動接触片に倣う膨出面を前記可動接触片の両側に形成し、前記膨出面に上面シートを貼着一体化したことを特徴とする請求項１ないし３のいずれか１項に記載のスイッチ。
【請求項５】
下面シートが表裏面に粘着剤を塗布した両面テープであることを特徴とする請求項３または４に記載のスイッチ。
【発明の詳細な説明】
【技術分野】
【０００１】
本発明はスイッチ、特に、直立した操作レバーを２方向に回動させて接点を開閉するスイッチに関する。
【背景技術】
【０００２】
従来、スイッチとしては、例えば、直立した操作レバー１８を２方向に交互に回動し、カム１６，１７を介して可動接点１５を弾性変形させることにより、２回路を開閉するものがある（特許文献１参照）
【０００３】
また、他のスイッチとしては、例えば、直立した操作レバー１６を２方向に交互に回動し、摺動体１７を介して可動接点１５を弾性変形させることにより、２回路を開閉するものがある（特許文献２参照）。
【特許文献１】特開２００２−１５０８８５号公報
【特許文献２】特開２００３−１３２７６５号公報
【発明の開示】
【発明が解決しようとする課題】
【０００４】
しかしながら、前述のスイッチはいずれもカム１６，１７あるいは摺動体１７を介して前記可動接点１５を駆動するものであるので、所望の動作特性を確保しようとすると、累積誤差を小さくする必要があり、各構成部品に高い部品精度，組立精度を必要とする。特に、前述のスイッチはいずれも前記可動接点１５を復帰バネに兼用しているので、前記可動接点１５の形状が複雑になりやすく、高い部品精度で製造することが容易でなく、動作特性にバラツキが生じやすいという問題点がある。
【０００５】
本発明は、前記問題点に鑑み、各構成部品に高い部品精度，組立精度を必要とせず、製造が容易なスイッチを提供することを課題とする。
【課題を解決するための手段および発明の効果】
【０００６】
本発明にかかるスイッチは、前記課題を解決すべく、片持ち支持された可動接触片の自由端部に位置する可動接点を固定接点に接離可能に対向させた接点機構と、前記接点機構をインサート成形し、上下方向から可動接触片および固定接点を目視可能なベースと、上面に操作溝を有し、前記ベースに上方から嵌合される箱形のカバーと、回動軸部の軸心を中心として上方側に操作部を突出するとともに、下方側にカム部を形成し、前記回動軸部を前記カバーの対向する両側側壁に回動可能に軸支するとともに、前記カバーの操作溝から前記操作部を操作可能に突出させた操作レバーと、前記操作レバーの回動軸部にコイル部を挿通され、前記操作レバーに復帰力を付与する復帰バネと、からなり、前記操作レバーの操作部に水平方向から負荷された外力に基づき、前記復帰バネのバネ力に抗して前記操作レバーを回動することにより、前記カム部が前記可動接触片を駆動し、可動接点を固定接点に接離させる構成としてある。
【０００７】
本発明によれば、操作レバーに一体化したカム部で可動接触片を直接駆動するので、従来例よりも累積誤差が小さい。このため、従来例と同等の動作特性を得るために高い部品精度，組立精度を必要とせず、製造が容易なスイッチが得られる。特に、操作レバーを復帰させる復帰バネを可動接触片と別体としてあるので、可動接触片の形状が簡単になり、製造が容易となる。
【０００８】
本発明にかかる実施形態としては、復帰バネの両端部をカバーの天井面に圧接させることにより、操作レバーが直立するように支持してもよい。
本実施形態によれば、復帰バネのバネ力で操作レバーが常時、直立するように付勢されることになり、操作レバーにガタツキが生じない。
【０００９】
本発明にかかる他の実施形態としては、前記ベースの上下面のうち、少なくとも下面にシートを貼着一体化して接点機構を仕切る構成であってもよい。
本実施形態によれば、接点機構を仕切るので、プリント基板に実装する際のフラックスの侵入を防止できる。特に、ベースの上下面にシートを貼着一体化すれば、接点機構を所定の空間内に密閉できるので、塵埃や腐蝕性ガス等の侵入を確実に防止できる。このため、動作不良を防止でき、接触信頼性が向上するとともに、寿命を伸ばすことができる。
【００１０】
異なる実施形態としては、ベースの上面のうち、湾曲した可動接触片に倣う膨出面を前記可動接触片の両側に形成し、前記膨出面に上面シートを貼着一体化しておいてもよい。
本実施形態によれば、湾曲する可動接触片に倣うように上面シートをベースの上面に貼着一体化できる。このため、可動接触片に対する操作用リブの動作が滑らかとなり、スムーズな接点開閉を行うことができるとともに、シートの破損を防止でき、寿命が伸びる。
【００１１】
別の実施形態としては、下面シートが表裏面に粘着剤を塗布した両面テープであってもよい。
本実施形態によれば、本願発明にかかるスイッチをプリント基板に実装する際に仮固定できるので、作業性が向上するという効果がある。
【発明を実施するための最良の形態】
【００１２】
本発明にかかるスイッチの実施形態を図１ないし図８の添付図面に従って説明する。
本実施形態は、図２および図３に示すように、２回路を開閉できる接点機構１０を備えた枠状ベース２０と、前記ベース２０の上下面に貼着一体化される下面シート３０および上面シート３１と、復帰バネ４０を組み付ける操作レバー５０と、カバー６０とから構成されている。なお、本実施形態にかかるスイッチ本体は、巾１．８ｍｍ、長さ３．５ｍｍ、高さ２．０ｍｍの外形寸法を有する。
【００１３】
前記接点機構１０は、図４に示すように、３本一組のリード片１１，１２，１３から構成されている。前記リード片１１，１２は、その自由端部をそれぞれ固定接点１１ａ，１２ａとしてある。一方、略Ｔ字形の前記リード片１３は、その中央部から延在した湾曲する可動接触片１４の自由端部を可動接点１４ａとしてある。
【００１４】
そして、前記リード片１１，１２，１３をそれぞれ位置決めして前記ベース２０にインサート成形することにより、前記ベース２０の開口部２１内で、対向する前記固定接点１１ａと前記固定接点１２ａとの間に、前記可動接触片１４の可動接点１４ａが接離可能に対向する。特に、無負荷状態であれば、前記可動接点１４ａが前記固定接点１１ａに常時圧接している。そして、前記ベース２０の対向する両外側面から前記リード片１１，１２，１３の端子部１１ｂ，１２ｂ，１３ｂが側方にそれぞれ突出し、図示しないプリント基板に表面実装可能となっている。
【００１５】
前記枠状ベース２０は、図４に示すように、前記開口部２１の上面両側縁部に、前記可動接触片１４の曲率にほぼ等しい曲率を有する膨出面２２，２２をそれぞれ形成してある。さらに、前記ベース２０の対向する両外側面のうち、略中央部に係合用突部２３，２３をそれぞれ突設してあるとともに、同一方向側縁部に係止用爪部２４，２４をそれぞれ突設してある。
【００１６】
前記下面シート３０および前記上面シート３１は、ポリイミド系、フッ素樹脂系の絶縁シートである。そして、前記下面シート３０を前記ベース２０の底面中央部に貼着一体化するとともに、前記上面シート３１を前記膨出面２２，２２に貼着一体化することにより、前記固定接点１１ａ，１２ａおよび可動接触片１４が開口部２１内に密閉される。前記膨出面２２に前記上面シート３１が貼着一体化されるので、前記上面シート３１自体が湾曲する前記可動接触片１４に倣うように湾曲する。
【００１７】
前記復帰バネ４０は、図２に示すように、コイル部４１から引き出した両端部４２，４３を後述するカバーの６０の天井面に当接させることにより、後述する操作レバー４０に復帰力を付与するものである。
【００１８】
前記操作レバー５０は、図５に示すように、側方に長軸部５２および短軸部５３を同一軸心上に突出させる一方、前記軸心の下方側にカム部５１を一体成形してあるとともに、その上方側に操作部５４を突出させてある。さらに、前記長軸部５２および短軸部５３の先端面は組み付けを容易にするためのテーパ面５２ａ，５３ａとなっている。また、前記長軸部５２の基部近傍には前記復帰バネ４０の両端部４２，４３に圧接する押圧部５５を平行に延在してある。さらに、前記押圧部５５は、その片側基部に補強用鍔部５６を一体成形してある。そして、前記長軸部５２に前記復帰バネ４０を挿通することにより、前記復帰バネ４０の両端部４２，４３に前記押圧部５５が当接可能となる。
【００１９】
前記カバー６０は、図６に示すように、前記ベース２０の上面を被覆できる箱形状を有し、上面に前記操作レバー５０の操作部５４が回動可能に突出する操作溝６１を設けてある。さらに、前記操作溝６１内の両側縁部には前記操作部５４を位置規制するための位置規制用舌片６２ａ，６２ｂを折り曲げて形成してある。また、前記カバー６０は、その対向する両側面に、前記操作レバー５０の長軸部５２および短軸部５３を回転自在に軸支する軸孔６３ａ，６３ｂをそれぞれ形成してある。さらに、前記カバー６０の下方開口部の対向する両側縁部のうち、略中央部に係合部６４をそれぞれ設けてあるとともに、同一方向側縁部に係止用舌片６５をそれぞれ設けてある。
【００２０】
本実施形態にかかるスイッチを組み立てるには、図２に示すように、接点機構１０をインサート形成したベース２０の底面に底面シート３０を貼着一体化するとともに、前記ベース２０の膨出面２２に上面シート３１を貼着一体化する。
【００２１】
一方、前記操作レバー５０の長軸部５２に前記復帰バネ４０のコイル部４１を挿通した後、前記カバー６０の下方開口部から前記操作レバー５０を挿入し、長軸部５２および短軸部５３のテーパ面５２ａ，５３ａを前記カバー６０の内側面に沿って圧入する。これにより、前記長軸部５２，短軸部５３が前記軸孔６３ａ，６３ｂにそれぞれ嵌合し、回動可能に軸支されるとともに、前記復帰バネ４０の両端部４２，４３が前記カバー６０の天井面に圧接する。このため、前記操作レバー５０を回動可能に軸支できるだけでなく、復帰バネ４０のバネ力でガタツキなく、かつ、直立するように支持できる。
【００２２】
ついで、前記ベース２０に前記カバー６０を上方から組み付け、係合用突部２３に係合部６４を係合するとともに、前記係止用爪部２４に係止用舌片６５を係止することにより、組立作業が完了する。
【００２３】
本実施形態では、図７Ａに示すように、組立完了したスイッチの復帰バネ４０の両端部４２，４３が前記カバー６０の天井面に圧接するので、操作レバー５０が直立するとともに、前記操作レバー５０のカム部５１が上面シート３１を介して可動接触片１４を押し下げている。このため、可動接点１４ａは固定接点１１a、１２ａのほぼ中間に位置し、両者から開離した状態になっている。
【００２４】
そして、図７Ｂに示すように、前記操作レバー５０を左方向（反時計回り方向）に押し倒すと、押圧部５５が復帰バネ４０の一端部４３を押し下げるとともに、カム部５１が長軸部５２を中心に反時計方向に回転する。このため、前記カム部５１が上面シート３１から離れ、可動接触片１４に対する押圧が解除され、可動接点１４ａが固定接点１１ａに接触する。さらに、操作レバー５０が押し込まれると、カム部５１が上面シート３１から完全に離れ、可動接点１４ａが固定接点１１ａに所定の接点圧で圧接するとともに、前記操作レバー５０の操作部５４が前記カバー６０の位置規制用舌片６２ａに当接して位置規制される（図７Ｃ）。
【００２５】
ついで、前述の負荷を解除すると、復帰バネ４０のバネ力で操作レバー５０が押し戻され、前記可動接触片１４が元の位置に復帰するので、可動接点１４ａが固定接点１１ａから開離し、元の中立位置に戻る。
【００２６】
次に、図８に示すように、前記操作レバー５０を右方向（時計回り方向）に押し倒すと、押圧部５５が復帰バネ４０の一端部４２を押し下げるとともに、カム部５１が長軸部５２を中心として時計方向に回転する。このため、カム部５１が上面シート３１を介して可動接触片１４を押し下げるので、可動接点１４ａは固定接点１２ａに接触する（図８Ｂ）。さらに、操作レバー５０が押し込まれると、可動接点１４ａが固定接点１２ａに所定の接点圧で圧接するとともに、前記操作レバー５０の操作部５４が前記カバー６０の位置規制用舌片６２ｂに接触して位置規制される（図８Ｃ）。
【００２７】
ついで、前述の負荷を解除すると、復帰バネ４０のバネ力で操作レバー５０が押し戻され、前記可動接触片１４が元の位置に復帰し、可動接点１４ａが固定接点１２ａから開離し、元の中立位置に戻る。このため、本実施形態にかかるスイッチによれば、操作レバー５０を操作することにより、２回路を交互に開閉できるという利点がある。
【産業上の利用可能性】
【００２８】
本発明は前述のスイッチに限らず、他のスイッチに適用できることは勿論である。
【図面の簡単な説明】
【００２９】
【図１】本発明にかかるスイッチの実施形態を示す全体斜視図である。
【図２】図１で示したスイッチの分解斜視図である。
【図３】図１で示したスイッチの異なる角度から見た分解斜視図である。
【図４】図４Ａは接点機構を組み込んだベースの斜視図、図４Ｂは接点機構の斜視図、図４Ｃは接点機構を組み込んだベースの異なる角度から見た斜視図である。
【図５】図５Ａ、５Ｂおよび５Ｃは図１で示した操作レバーを示す正面図、斜視図、異なる角度からみた斜視図である。
【図６】図１で示したカバーの斜視図である。
【図７】図７Ａないし図７Ｃは操作レバーの左方向への操作前、操作中および操作後をそれぞれ示す断面図である。
【図８】図８Ａないし図８Ｃは操作レバーの右方向への操作前、操作中および操作後をそれぞれ示す断面図である。
【符号の説明】
【００３０】
１０：接点機構
１１，１２，１３：リード片
１１ａ，１２ａ：固定接点
１４：可動接触片
１４ａ：可動接点
２０：ベース
２１：開口部
２２：膨出面
２３：係合用突部
２４：係止用爪部
３０：下面シート
３１：上面シート
４０：復帰バネ
４１：コイル部
４２，４３：端部
５０：操作レバー
５１：カム部
５２：長軸部
５３：短軸部
５２ａ，５３ａ：テーパ面
５４：操作部
５５：押圧部
５６：補強用鍔部
６０：カバー
６１：操作溝
６２ａ，６２ｂ：位置規制用舌片
６３ａ，６３ｂ：軸孔
６４：係合部
６５：係止用舌片
【図１】
2006092853.tif 000003
【図２】
2006092853.tif 000004
【図３】
2006092853.tif 000005
【図４】
2006092853.tif 000006
【図５】
2006092853.tif 000007
【図６】
2006092853.tif 000008
【図７】
2006092853.tif 000009
【図８】
2006092853.tif 000010